(57)【要約】本発明は、無線通信システムで点対多（ｐｏｉｎｔ―ｔｏ―ｍｕｌｉｔｉｐｏｉｎｔ）サービスを、送信する方法、受信する方法、送信するための装置及び受信するための装置に関する。本発明によれば、複数のセルに点対多サービスを提供するチャンネルの送信パラメーターを点対多サービスを受信するＵＥに知らせることができる。本発明は、点対多チャンネルにマッピングされて点対多サービスのスケジュルリング情報を提供する点対多シグナリングチャンネルに関する少なくとも一つの送信パラメーターを受信し、前記少なくとも一つの送信パラメーターを使用して複数のセルから送信される点対多チャンネルを組み合わせ、前記点対多チャンネルにマッピングされる点対多トラフィックチャンネル上の点対多サービスを受信することを含む。【選択図】図６
2008541541.tif 000002
【特許請求の範囲】
【請求項１】
移動通信システムにおいて点対多チャンネル上で点対多サービスを受信する方法であって、
点対多チャンネルにマッピングされる点対多シグナリングチャンネル上で点対多サービスのスケジューリング情報を提供する少なくとも一つの送信パラメーターを受信するステップと、
前記少なくとも一つの送信パラメーターを利用して複数のセルから送信される点対多チャンネルを組み合わせるステップと、
前記点対多チャンネルにマッピングされる点対多トラフィックチャンネル上で点対多サービスを受信するステップと、
を含むことを特徴とする方法。
【請求項２】
前記少なくとも一つの送信パラメーターは、前記点対多サービスが複数のセル各々により送信される送信パワー情報を含むことを特徴とする請求項１に記載の方法。
【請求項３】
前記点対多チャンネルは、物理チャンネルまたは伝送チャンネルの中でいずれの一つであることを特徴とする請求項１に記載の方法。
【請求項４】
前記送信パワー情報は、前記点対多チャンネルの送信パワーと基準チャンネルの送信パワーとの間のオフセット値であることを特徴とする請求項２に記載の方法。
【請求項５】
移動通信システムにおいて点対多チャンネル上で点対多サービスを受信する方法であって、
点対多チャンネルにマッピングされる点対多シグナリングチャンネル上で点対多サービスのスケジューリング情報を提供する少なくとも一つの送信パラメーターを受信するステップと、
前記少なくとも一つの送信パラメーターに基礎して複数のセルから送信されて点対多サービスを提供する点対多チャンネルを組み合わせることにより点対多サービスを受信するステップと、
を含むことを特徴とする方法。
【請求項６】
前記少なくとも一つの点対多サービスに基礎して点対多サービスが受信される少なくとも２個のセルを決定するステップをさらに含むことを特徴とする請求項５に記載の方法。
【請求項７】
前記点対多サービスは、マルチメディアブロードキャスト／マルチキャストサービス（ＭＢＭＳ）であることを特徴とする請求項５に記載の方法。
【請求項８】
移動通信システムにおいて点対多サービスを受信する方法であって、
点対多サービスが提供される第２のチャンネルにマッピングされる第１のチャンネル上で点対多サービスのスケジューリング情報を提供する複数のセルの送信パラメーターを受信するステップと、
前記送信パラメーターに基礎して複数のセルの中で点対多サービスを受信するための少なくても２個のセルを決定するステップと、
前記少なくとも２個のセルから送信される第２のチャンネルを組み合わせることにより点対多サービスを受信するステップと、
を含むことを特徴とする方法。
【請求項９】
前記送信パラメーターは、複数のセル各々により点対多サービスが送信される送信パワー情報を含むことを特徴とする請求項８に記載の方法。
【請求項１０】
前記送信パワー情報は、前記点対多チャンネルの送信パワーと基準チャンネルの送信パワーとの間のオフセット値であることを特徴とする請求項９に記載の方法。
【請求項１１】
移動通信システムにおいて点対多サービスを送信する方法であって、
第２のチャンネルにマッピングされる第１のチャンネル上で、少なくとも一つの移動端末に点対多サービスのためのデータを送信するステップと、
前記第２のチャンネルにマッピングされる第３のチャンネル上で、前記少なくとも一つの移動端末に、前記点対多サービスのスケジューリング情報を提供する複数のセルの少なくとも一つの送信パラメーターを送信するステップと、
を含むことを特徴とする方法。
【請求項１２】
前記少なくとも一つの送信パラメーターは、複数のセル各々により点対多サービスが送信される送信パワー情報を含むことを特徴とする請求項１１に記載の方法。
【請求項１３】
前記第２のチャンネルは、物理チャンネルまたは伝送チャンネルの中でいずれの一つであることを特徴とする請求項１１に記載の方法。
【請求項１４】
前記送信パワー情報は、前記第２のチャンネルの送信パワーと基準チャンネルの送信パワーとの間のオフセット値であることを特徴とする請求項１２に記載の方法。
【請求項１５】
移動通信システムにおいて点対多チャンネル上で点対多サービスを受信するための受信機であって、
点対多チャンネルにマッピングされる点対多シグナリングチャンネル上で点対多サービスのスケジューリング情報を提供する少なくとも一つの送信パラメーターを受信する手段と、
前記少なくとも一つの送信パラメーターに基礎して複数のセルから送信されて点対多サービスを提供する点対多チャンネルを組み合わせることにより点対多サービスを受信する手段と、
を含むことを特徴とする受信機。
【請求項１６】
移動通信システムにおいて点対多チャンネル上で点対多サービスを受信するための受信機であって、
第１のチャンネル上で点対多サービスのスケジューリング情報を提供する複数のセルの送信パラメーターを受信する手段と、
前記送信パラメーターに基礎して複数のセルの中で点対多サービスを受信するための少なくても２個のセルを決定する手段と、
前記少なくとも２個のセルから送信される第２のチャンネルを組み合わせることにより点対多サービスを受信する手段と、を含み、
前記第１のチャンネルは、点対多サービスが送信される第２のチャンネルにマッピングされることを特徴とする受信機。
【請求項１７】
移動通信システムにおいて点対多チャンネル上で点対多サービスを受信するための送信機であって、
第２のチャンネルにマッピングされる第１のチャンネル上で点対多サービスのためのデータを少なくとも一つの移動端末に送信する手段と、
前記第２のチャンネルにマッピングされる第３のチャンネル上で前記少なくとも一つの移動端末に点対多サービスのスケジューリング情報を提供する複数のセルの少なくとも一つの送信パラメーターを送信する手段と、
を含むことを特徴とする送信機。
【発明の詳細な説明】
【技術分野】
【０００１】
本発明は、無線移動通信システムに関し、より詳しくは、無線通信システムで点対多サービスを送信する方法、受信する方法、送信する装置及び受信する装置に関する。
【背景技術】
【０００２】
図１は、３ＧＰＰ非同期式ＩＭＴ―２０００システムである汎用移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：以下、‘ＵＭＴＳ’と称する）のネットワーク構造を示した図である。
【０００３】
図１を参照すれば、ＵＭＴＳシステムは、主にユーザー端末（Ｕｓｅｒ  Ｅｑｕｉｐｍｅｎｔ：以下、‘ＵＥ’と称する）と、ＵＭＴＳ無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ：以下、‘ＵＴＲＡＮ’と称する）と、コアネットワーク（Ｃｏｒｅ  Ｎｅｔｗｏｒｋ：以下、‘ＣＮ’と称する）からなっている。
【０００４】
ＵＴＲＡＮは、少なくとも一つの無線ネットワークサブシステム（Ｒａｄｉｏ  Ｎｅｔｗｏｒｋ  Ｓｕｂ―ｓｙｓｔｅｍｓ：以下、‘ＲＮＳ’と称する）を含む。そして、ＲＮＳは、一つの無線ネットワーク制御器（Ｒａｄｉｏ  Ｎｅｔｗｏｒｋ  Ｃｏｎｔｒｏｌｌｅｒ：以下、‘ＲＮＣ’と称する）と、このＲＮＣにより管理される少なくとも一つの基地局（以下、‘Ｎｏｄｅ  Ｂ’と称する）と、を含む。  一つのＮｏｄｅ  Ｂには少なくとも一つのセル（Ｃｅｌｌ）が存在する。
【０００５】
図２は、３ＧＰＰ無線アクセスネットワーク規格を基盤としたＵＥとＵＴＲＡＮとの間の無線インターフェースプロトコル（Ｒａｄｉｏ  ＩｎｔｅＲＦａｃｅ  Ｐｒｏｔｏｃｏｌ）の構造を示した図である。
【０００６】
図２を参照すれば、無線インターフェースプロトコルは、縦方向では物理レイヤー（Ｐｈｙｓｉｃａｌ  Ｌａｙｅｒ）、データリンクレイヤー（Ｄａｔａ  Ｌｉｎｋ  Ｌａｙｅｒ）及びネットワークレイヤー（Ｎｅｔｗｏｒｋ  Ｌａｙｅｒ）を含み、横方向ではデータ情報送信のためのユーザー平面（Ｕｓｅｒ  Ｐｌａｎｅ）と、信号（Ｓｉｇｎａｌｉｎｇ）伝達のための制御平面（Ｃｏｎｔｒｏｌ  Ｐｌａｎｅ）と、を含む。
【０００７】
図２のプロトコルレイヤーは通信システムで広く知られた開放型システム相互接続（Ｏｐｅｎ  Ｓｙｓｔｅｍ  Ｉｎｔｅｒｃｏｎｎｅｃｔｉｏｎ：ＯＳＩ）基準モデルの下位３個レイヤーを基礎としてＬ１（第１のレイヤー）、Ｌ２（第２のレイヤー）、Ｌ３（第３のレイヤー）に区分できる。
【０００８】
以下、図２の各レイヤーについて説明する。
【０００９】
まず、第１のレイヤーである物理レイヤー（以下、‘ＰＨＹ’と称する）は、物理チャンネル（Ｐｈｙｓｉｃａｌ  Ｃｈａｎｎｅｌ）を利用して上位レイヤーに情報送信サービス（Ｉｎｆｏｒｍａｔｉｏｎ  Ｔｒａｎｓｆｅｒ  Ｓｅｒｖｉｃｅ）を提供する。ＰＨＹはその上位にある媒体アクセス制御（Ｍｅｄｉｕｍ  Ａｃｃｅｓｓ  Ｃｏｎｔｒｏｌ）レイヤーとは送信チャンネル（Ｔｒａｎｓｐｏｒｔ  Ｃｈａｎｎｅｌ）を通じて接続される。この送信チャンネルを通じて媒体アクセス制御レイヤーと物理レイヤーとの間にデータが送信される。そして、お互いに異なる物理レイヤーの間、より具体的には、送信側と受信側の物理レイヤーの間では物理チャンネルを通じてデータが送信される。
【００１０】
第２のレイヤーの媒体アクセス制御（Ｍｅｄｉｕｍ  Ａｃｃｅｓｓ  Ｃｏｎｔｒｏｌ：以下、‘ＭＡＣ’と称する）は、論理チャンネル（Ｌｏｇｉｃａｌ  Ｃｈａｎｎｅｌ）を通じてその上位レイヤーである無線リンク制御レイヤーにサービスを提供する。第２のレイヤーの無線リンク制御（Ｒａｄｉｏ  Ｌｉｎｋ  Ｃｏｎｔｒｏｌ：以下、‘ＲＬＣ’と称する）レイヤーは、信頼性のあるデータの送信をサポートし、その上位レイヤーから送信されたＲＬＣサービスデータ単位（Ｓｅｒｖｉｃｅ  Ｄａｔａ  Ｕｎｉｔ：以下、‘ＳＤＵ’と称する）の分割及び連結（Ｓｅｇｍｅｎｔａｔｉｏｎ  ａｎｄ  Ｃｏｎｃａｔｅｎａｔｉｏｎ）機能を実行することができる。
【００１１】
ブロードキャスト／マルチキャスト制御（Ｂｒｏａｄｃａｓｔ／Ｍｕｌｔｉｃａｓｔ  Ｃｏｎｔｒｏｌ：以下、‘ＢＭＣ’と称する）レイヤーは、コアネットワークから伝達されたセルブロードキャストメッセージ（Ｃｅｌｌ  Ｂｒｏａｄｃａｓｔ  Ｍｅｓｓａｇｅ：以下、‘ＣＢメッセージ’と称する）をスケジューリングし、特定セルに位置したＵＥにブロードキャストする機能を実行する。ＵＴＲＡＮの観点から見れば、より上位レイヤーから伝達されたＣＢメッセージは、メッセージＩＤ、シリアル番号（Ｓｅｒｉａｌ  Ｎｕｍｂｅｒ）、コーディング構造（ｃｏｄｉｎｇ  ｓｃｈｅｍｅ）などの情報が付加的に提供されて、ＢＭＣメッセージの形態でＲＬＣレイヤーに伝達され、論理チャンネルＣＴＣＨ（Ｃｏｍｍｏｎ  Ｔｒａｆｆｉｃ  Ｃｈａｎｎｅｌ）を通じてＭＡＣレイヤーに伝達される。論理チャンネルＣＴＣＨは送信チャンネルＦＡＣＨ（Ｆｏｒｗａｒｄ  Ａｃｃｅｓｓ  Ｃｈａｎｎｅｌ）と物理チャンネルＳ―ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）にマッピングされる。
【００１２】
パケットデータコンバージェンスプロトコル（ｐａｃｋｅｔ  Ｄａｔａ  Ｃｏｎｖｅｒｇｅｎｃｅ  Ｐｒｏｔｏｃｏｌ：以下、‘ＰＤＣＰ’と略称する）レイヤーはＲＬＣレイヤーの上位に位置し、ＩＰｖ４やＩＰｖ６のようなネットワークプロトコルを通じて送信されるデータを相対的に帯域幅が狭い無線インターフェース上で効率的に送信可能にする。このために、ＰＤＣＰレイヤーは有線ネットワークで使われる不必要な制御情報を減らす機能を実行する。このような機能をヘッダー圧縮（Ｈｅａｄｅｒ  Ｃｏｍｐｒｅｓｓｉｏｎ）と呼び、ＩＥＴＦ（Ｉｎｔｅｒｎｅｔ  Ｅｎｇｉｎｅｅｒｉｎｇ  Ｔａｓｋ  Ｆｏｒｃｅ）で定義するヘッダー圧縮技法であるＲＦＣ２５０７またはＲＦＣ３０９５のヘッダー圧縮技法（ＲＯＨＣ：Ｒｏｂｕｓｔ  Ｈｅａｄｅｒ  Ｃｏｍｐｒｅｓｓｉｏｎ）を使うことができる。このような技法では、データのヘッダー部分で必ず必要な情報のみを送信することでより少ない制御情報を送信する方式で送信されるデータ量を減らすことができる。
【００１３】
第３のレイヤーの一番下部に位置した無線資源制御（Ｒａｄｉｏ  Ｒｅｓｏｕｒｃｅ  Ｃｏｎｔｒｏｌ：以下、‘ＲＲＣ’と称する）レイヤーは制御平面でだけ定義され、無線ベアラー（Ｒａｄｉｏ  Ｂｅａｒｅｒ：以下、‘ＲＢ’と称する）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連されて論理チャンネル、送信チャンネル及び物理チャンネルの制御を担当する。この時、ＲＢはＵＥとＵＴＲＡＮとの間のデータ伝達のために第２のレイヤーに提供されるサービスを意味する。ＲＢの設定は特定サービスを提供するために必要なプロトコルレイヤー及びチャンネルの特性を調整し、各々の具体的なパラメーター及び動作方法を設定する過程を意味する。
【００１４】
また、ＲＲＣレイヤーはＢＣＣＨ（Ｂｒｏａｄｃａｓｔ  Ｃｏｎｔｒｏｌ  Ｃｈａｎｎｅｌ）上でシステム情報をブロードキャストする役目を担当する。一つのセルに対するシステム情報は多くのシステム情報ブロック（Ｓｙｓｔｅｍ  Ｉｎｆｏｒｍａｔｉｏｎ  Ｂｌｏｃｋ：以下、‘ＳＩＢ’と称する）の形態でＵＥにブロードキャストされる。システム情報が変更される場合、ＵＴＲＡＮはＰＣＨ（Ｐａｇｉｎｇ  Ｃｈａｎｎｅｌ）またはＦＡＣＨ上でＢＣＣＨ変更情報（ＢＣＣＨ  Ｍｏｄｉｆｉｃａｔｉｏｎ  Ｉｎｆｏｒｍａｔｉｏｎ）をＵＥに送信する。したがって、ＵＥは最新のシステム情報を受信することができる。
【００１５】
以下、マルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：以下、‘ＭＢＭＳ’に称する）について詳しく説明する。
【００１６】
まず、ＭＢＭＳは下向専用のＭＢＭＳベアラーサービスを利用して複数のＵＥにストリーミング（Ｓｔｒｅａｍｉｎｇ）またはバックグラウンド（Ｂａｃｋｇｒｏｕｎｄ）サービスを提供する。一つのＭＢＭＳサービスは少なくとも一つのセッション（Ｓｅｓｓｉｏｎ）を含み、ＭＢＭＳデータはセッションが進行中の間にだけＭＢＭＳベアラーサービスを通じて複数のＵＥに送信される。ＵＥは自分が加入（Ｓｕｂｓｃｒｉｐｔｉｏｎ）したサービスを受信するために先に活性化（Ａｃｔｉｖａｔｉｏｎ）作業を実行し、そのＵＥにより活性化されたサービスのみを受信する。
【００１７】
ＵＴＲＡＮは無線ベアラーを使用してＭＢＭＳベアラーサービスをＵＥに提供する。ＵＴＲＡＮが使用する無線ベアラーの種類（Ｔｙｐｅ）では、点対点（Ｐｏｉｎｔ―ｔｏ―ｐｏｉｎｔ）無線ベアラーと点対多（Ｐｏｉｎｔ―ｔｏ―ｍｕｌｔｉｐｏｉｎｔ）無線ベアラーがある。ここで、点対点無線ベアラーは両方向無線ベアラー（ｂｉ―ｄｉｒｅｃｔｉｏｎａｌ  ＲＢ）で、論理チャンネルＤＴＣＨ（Ｄｅｄｉｃａｔｅｄ  Ｔｒａｆｆｉｃ  Ｃｈａｎｎｅｌ）、送信チャンネルＤＣＨ（Ｄｅｄｉｃａｔｅｄ  Ｃｈａｎｎｅｌ）及び物理チャンネルＤＰＣＨ（Ｄｅｄｉｃａｔｅｄ  Ｐｈｙｓｉｃａｌ  Ｃｈａｎｎｅｌ）または物理チャンネルＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を含む。
【００１８】
また、点対多無線ベアラーは偏方向下向無線ベアラー（ｕｎｉ―ｄｉｒｅｃｔｉｏｎａｌ  ｄｏｗｎｌｉｎｋ  ＲＢ）である。図３に示したように、論理チャンネルＭＴＣＨ（ＭＢＭＳ  Ｔｒａｆｆｉｃ  Ｃｈａｎｎｅｌ）、送信チャンネルＦＡＣＨ及び物理チャンネルＳＣＣＰＣＨを含む。論理チャンネルＭＴＣＨは一つのセルに提供される一つのＭＢＭＳサービスごとに設定されて、特定ＭＢＭＳのユーザー平面データを複数のＵＥに送信するために使用される。
【００１９】
図３に示したように、論理チャンネルＭＣＣＨ（ＭＢＭＳ  Ｃｏｎｔｒｏｌ  Ｃｈａｎｎｅｌ）は点対多下向チャンネル（Ｐｏｉｎｔ―ｔｏ―ｍｕｌｔｉｐｏｉｎｔ  ｄｏｗｎｌｉｎｋ  ｃｈａｎｎｅｌ）として、ＭＢＭＳと関連された制御情報を送信するために使用される。論理チャンネルＭＣＣＨは送信チャンネルＦＡＣＨにマッピングされ、送信チャンネルＦＡＣＨは物理チャンネルＳＣＣＰＣＨにマッピングされる。一つのセルには一つのＭＣＣＨが存在する。
【００２０】
ＭＣＣＨの設定情報はＢＣＣＨのシステム情報ブロック（Ｓｙｓｔｅｍ  Ｉｎｆｏｒｍａｔｉｏｎ  Ｂｌｏｃｋ：以下、‘ＳＩＢ’と称する）を通じて送信される。ＭＣＣＨを再設定する場合、ＵＥは先にＦＡＣＨやＰＣＨを通じて送信されるＢＣＣＨ変更情報を受信し、その情報によってＳＩＢを受信した後、そのＳＩＢに含まれたＭＣＣＨの再設定情報を獲得する。
【００２１】
ＭＢＭＳを提供するＵＴＲＡＮはＭＣＣＨチャンネルを通じてＭＣＣＨ情報（ＭＣＣＨ  Ｉｎｆｏｒｍａｔｉｏｎ）を複数のＵＥに送信する。ＭＣＣＨ情報は、ＭＢＭＳと関連された通知（Ｎｏｔｉｆｉｃａｔｉｏｎ）メッセージ、すなわち、ＭＢＭＳと関連されたＲＲＣメッセージを含む。例えば、ＭＣＣＨ情報はＭＢＭＳ情報を知らせるメッセージ、点対多無線ベアラー情報を知らせるメッセージ、特定ＭＢＭＳのためにＲＲＣ接続（ＲＲＣ  Ｃｏｎｎｅｃｔｉｏｎ）が要請されることを知らせるアクセス情報（Ａｃｃｅｓｓ  Ｉｎｆｏｒｍａｔｉｏｎ）などを含む。
【００２２】
図４は、ＭＣＣＨ情報の送信方式を説明するための図である。
【００２３】
図４を参照すれば、ＭＣＣＨ情報は変更周期（Ｍｏｄｉｆｉｃａｔｉｏｎ  Ｐｅｒｉｏｄ）と反復周期（Ｒｅｐｅｔｉｔｉｏｎ  Ｐｅｒｉｏｄ）によって周期的に送信される。ＭＣＣＨ情報は重要情報（Ｃｒｉｔｉｃａｌ  Ｉｎｆｏｒｍａｔｉｏｎ）と非重要情報（Ｎｏｎｃｒｉｔｉｃａｌ  Ｉｎｆｏｒｍａｔｉｏｎ）に区分される。この中で非重要情報は送信のために変更周期と反復周期ごとに自由に変更できる。しかし、重要情報は送信のためにただ変更周期ごとに変更できる。すなわち、重要情報は送信のために反復周期ごとに一回ずつ変更される。しかし、変更された重要情報の送信はただ変更周期の開始地点でだけ可能である。
【００２４】
ＭＣＣＨ情報はＭＢＭＳと関連された制御メッセージ、すなわち、ＭＢＭＳと関連されたＲＲＣメッセージを意味する。ＭＢＭＳ変更サービス情報（Ｍｏｄｉｆｉｅｄ  Ｓｅｒｖｉｃｅｓ  Ｉｎｆｏｒｍａｔｉｏｎ：以下、‘ＭＳＩ’と称する）、ＭＢＭＳ非変更サービス情報（Ｕｎｍｏｄｉｆｉｅｄ  Ｓｅｒｖｉｃｅｓ  Ｉｎｆｏｒｍａｔｉｏｎ：以下、‘ＵＳＩ’と称する）、ＭＢＭＳ点対多無線ベアラー情報（Ｐｏｉｎｔ―Ｔｏ―Ｍｕｌｔｉｐｏｉｎｔ  ＲＢ  Ｉｎｆｏｒｍａｔｉｏｎ）、アクセス情報（Ａｃｃｅｓｓ  Ｉｎｆｏｒｍａｔｉｏｎ）などのメッセージがＭＣＣＨ情報に該当する。この中でアクセス情報メッセージは非重要情報に該当し、残りのすべてのＭＣＣＨ情報メッセージは重要情報に該当する。ここで、アクセス情報は反復周期より小さいか反復周期と同一なアクセス周期ごとに一回ずつ送信され、反復周期の長さはアクセス周期の長さの倍数に該当する。
【００２５】
これらメッセージを送信する時、該当メッセージが特定サービスに対する情報を有していると、ＵＴＲＡＮはＭＢＭＳ送信識別子（ＭＢＭＳ  ｔｒａｎｓｍｉｓｓｉｏｎ  ｉｄｅｎｔｉｔｙ）とともにそのメッセージを送信する。この時、ＭＢＭＳ送信識別子は、ＭＢＭＳセッション識別子（Ｓｅｓｓｉｏｎ  Ｉｄｅｎｔｉｔｙ）及びＭＢＭＳサービス識別子を含む。例えば、ＭＢＭＳ変更サービス情報メッセージを送信する場合、そのメッセージはＭＢＭＳ送信識別子及びその送信識別子に該当するサービスの情報とともに送信される。
【００２６】
ＵＴＲＡＮは変更周期の間ＭＣＣＨ情報が更新されるか否かを知らせるために周期的に図３に示された物理チャンネルＭＩＣＨ（ＭＢＭＳ通知指示子チャンネル：ＭＢＭＳ  ｎｏｔｉｆｉｃａｔｉｏｎ  Ｉｎｄｉｃａｔｏｒ  Ｃｈａｎｎｅｌ）を送信する。したがって、一つの特定ＭＢＭＳのみを受信しようとする端末は、該当サービスのセッションが始まる以前にはＭＣＣＨまたはＭＴＣＨを受信しないで、周期的にＭＩＣＨを受信する。参考で、本明細書においてＭＣＣＨ情報の更新はＭＣＣＨ情報の中で特定項目の生成、追加、変更または除去を意味する。
【００２７】
また、ＵＴＲＡＮは変更周期の間にＭＣＣＨ情報が更新されるか否かを知らせるためにＭＩＣＨとともにＭＳＩメッセージを送信する。ＭＳＩメッセージは現在セルで該当変更周期の間に更新されるすべてのサービスの識別子情報とそのサービスに加入したＵＥに要求される動作情報を有している。この時、識別子情報ではＭＢＭＳ送信識別子が使われる。ここで、ＭＢＭＳ送信識別子は特定サービスを示すＭＢＭＳ識別子だけで構成される。また、ＭＢＭＳセッション識別子とＭＢＭＳ識別子を一緒に組み合わせる方式でＭＢＭＳ送信識別子を構成しても良い。一方、該当セルで現在提供中であるサービスの中で、変更周期の間に変更されないサービスの識別子情報はＵＳＩメッセージにより伝達される。この場合、該当サービスのＭＢＭＳ送信識別子が識別子情報として使われる。
【００２８】
一旦特定ＭＢＭＳのセッションが開始すれば、ＵＴＲＡＮは、ＭＣＣＨチャンネルを受信することをＵＥに通知する指示子であるＮＩ（Ｎｏｔｉｆｉｃａｔｉｏｎ  Ｉｎｄｉｃａｔｏｒ）を、特定ＭＢＭＳを受信しようとするＵＥにＭＩＣＨを通じて送信する。ＭＩＣＨを通じてＮＩを受信したＵＥは特定変更周期の間ＭＣＣＨを受信する。ＭＣＣＨを受信する間、ＵＥはＭＳＩメッセージを受信して該当変更周期の間自分が受信する特定ＭＢＭＳが変更されるか否かを点検する。特定ＭＢＭＳが変更される場合、変更されたＭＣＣＨ情報を獲得する。一方、ＵＥは一つの変更周期の間に送信されるＭＳＩメッセージとＵＳＩメッセージを受信して該当変更周期の間現在セルで提供されているすべてのサービスのリストを把握することができる。
【００２９】
点対多無線ベアラーを使用して特定ＭＢＭＳを受信しようとするＵＥは、ＭＣＣＨチャンネルを通じて無線ベアラー情報を含むＭＣＣＨ情報を受信し、受信した情報を利用して点対多無線ベアラーを設定する。点対多無線ベアラーを設定した後、ＵＥはＭＴＣＨがマッピングされる物理チャンネルＳＣＣＰＣＨをずっと受信して、ＭＴＣＨを通じて送信される特定ＭＢＭＳのデータを獲得する。
【００３０】
ＵＴＲＡＮはＭＴＣＨ上で不連続的にＭＢＭＳデータを送信することができる。この時、ＵＴＲＡＮは、図５に示したように、ＭＴＣＨ伝達ＳＣＣＰＣＨのＭＳＣＨ（ＭＢＭＳ  Ｓｃｈｅｄｕｌｉｎｇ  Ｃｈａｎｎｅｌ）を通じて周期的にスケジューリングメッセージ（Ｓｃｈｅｄｕｌｉｎｇ  ｍｅｓｓａｇｅ）をＵＥに送信する。ここで、スケジューリングメッセージは一つのスケジューリング周期の間送信されるＭＢＭＳデータの送信開始時点と送信区間を知らせる。このために、ＵＴＲＡＮはＵＥにスケジューリング情報の送信周期（スケジューリング周期：Ｓｃｈｅｄｕｌｉｎｇ  Ｐｅｒｉｏｄ）をあらかじめ知らせなければならない。ＭＳＣＨはＭＴＣＨ伝達ＳＣＣＰＣＨにマッピングされ、ＭＴＣＨ伝達ＳＣＣＰＣＨごとに存在することができる。この場合、ＭＴＣＨのためのスケジューリング情報を伝達するＭＳＣＨはＭＴＣＨの同一ＳＣＣＰＣＨにマッピングされるＭＳＣＨである。
【００３１】
一方、ＵＥは先にＵＴＲＡＮからスケジューリング周期を獲得し、その獲得したスケジューリング周期によって周期的にスケジューリングメッセージを受信し、その受信したスケジューリングメッセージを利用してＭＴＣＨ伝達ＳＣＣＰＣＨ（ＳＣＣＰＣＨ  ｃａｒｒｙｉｎｇ  ＭＴＣＨ）を不連続的で周期的に受信する。すなわち、ＵＥは、スケジューリングメッセージを利用して、データ送信のための時間区間にはＭＴＣＨ伝達ＳＣＣＰＣＨを受信し、データ送信のための時間区間ではない時間区間にはＭＴＣＨ伝達ＳＣＣＰＣＨを受信しない。
【００３２】
少なくとも２個の隣接セルが同一な情報のＭＢＭＳをＭＴＣＨ上で送信する場合、ＵＥは前記セルから送信されるＭＴＣＨ伝達ＳＣＣＰＣＨをソフト組合せ（Ｓｏｆｔ  Ｃｏｍｂｉｎｉｎｇ）または選択的組合せ（Ｓｅｌｅｃｔｉｏｎ  Ｃｏｍｂｉｎｉｎｇ）により受信して受信感度を増加させることができる。ソフト組合せの場合、同一な時間区間での前記セルからの送信ブロックは全部同一である。また、ＵＥがソフト組合せを容易に実行するようにするために、ＵＴＲＡＮは一つのＴＴＩの間一つの送信チャンネルに対する送信ブロックのみを送信する。ＵＴＲＡＮは、ＭＣＣＨ上で現在セルの点対多無線ベアラー情報メッセージだけではなく隣接セルの点対多無線ベアラー情報メッセージも提供して、ＵＥが選択組合せを容易に受信できるようにする。
【００３３】
ＵＥが組合せ受信のためのセルを容易に選択するように、ＵＴＲＡＮは各セルにより送信されたＭＢＭＳを有している送信または物理チャンネルの送信パラメーターをＵＥに知らせる必要がある。送信パラメーターの一例としては送信または物理チャンネルの送信パワー情報がある。しかし、送信パワー情報がＵＥにいつも必要な情報ではないで、これは特定サービスの組合せ受信の場合に有用である。したがって、送信パラメーターを必要とするＵＥに送信パラメーターを選択的に送信する必要がある。
【発明の開示】
【発明が解決しようとする課題】
【００３４】
したがって、本発明は上述したような従来技術の問題点を解決するためになされたもので、その目的は、複数のセルが点対多サービスする提供するチャンネルの送信パラメーターを該当点対多サービスを受信するＵＥに知らせる方法を提供することにある。
【００３５】
本発明のほかの目的は、無線通信システムで点対多サービスを送受信する方法を提供することで、この方法によれば、ＵＥで点対多サービスを組み合わせることにより点対多サービスの受信効率が向上される。
【００３６】
本発明のまた他の目的は、点対多サービスを伝達するチャンネルの送信パラメーターを送信パラメーターを必要とする他のＵＥにだけ提供することにより、ＵＥが不必要な情報を受信することを防止する方法を提供することにある。
【課題を解決するための手段】
【００３７】
前記目的を達成するために本発明は、点対多サービスを提供する第１のチャンネルの送信パラメーターを第１のチャンネルにマッピングされる第２のチャンネルを通じて少なくとも一つのＵＥに送信することを特徴とする。送信パラメーターの例として、第１のチャンネル上で点対多サービスを送信するために使用する送信パワーがある。送信パラメーターは、ＵＥが現在位置するセルの送信パワー情報だけではなく、第１のチャンネルを通じて点対多サービスを送信するために少なくとも一つの隣接セルが使用する送信パワーを含む。好ましくは、送信パワー情報が第１のチャンネルの送信パワーと各セルから送信されるパイロットチャンネルなどの基準チャンネルの送信パワーとの間オフセット値または割合値である。
【００３８】
第１のチャンネルは第２のチャンネルより下位レイヤーチャンネルであり、第２のチャンネルと同一なレイヤーに位置する第３のチャンネルが第１のチャンネルにマッピングされて、点対多サービスのためのトラフィックデータがその第３のチャンネルを通じて送信される。この場合、上位レイヤーと下位レイヤーの区別は物理的ではなく論理的である。例えば、第１のチャンネルは伝送または物理チャンネルであり、第２のチャンネルと第３のチャンネルは各々論理チャンネルである。好ましくは、第２のチャンネルが点対多サービスのスケジューリング情報を伝達するスケジューリングチャンネルである。そして、送信パラメーターはスケジューリングチャンネル上で送信される特定メッセージに含まれて伝送される。第１のチャンネルが物理チャンネルである場合、この物理チャンネルは、ＣＤＭＡシステムにおけるコードによりまたはＯＦＤＭ（Ｏｒｔｈｏｇｏｎａｌ  ＦｒｅｑＵＥｎｃｙ  Ｄｉｖｉｓｉｏｎ  Ｍｕｌｔｉｐｌｅｘｉｎｇ）やＯＦＤＭＡ（Ｏｒｔｈｏｇｏｎａｌ  ＦｒｅｑＵＥｎｃｙ  Ｄｉｖｉｓｉｏｎ  Ｍｕｌｔｉｐｌｅｘｉｎｇ  Ａｃｃｅｓｓ）システムにおける時間及び周波数により区別される。
【００３９】
第３のチャンネルを通じて点対多サービスを受信中であるＵＥは、複数のセルから送信される第１のチャンネルと関連された送信パラメーターを第１のチャンネルにマッピングされる第２のチャンネルを通じて受信する。ＵＥは、複数のセルの中で少なくとも２個のセルを選択して送信パラメーターに基礎して点対多サービスを受信し、選択された少なくとも２個のセルから送信される第１のチャンネルを組み合わせることにより点対多サービスを受信する。例えば、送信パラメーターとして複数のセルからの送信パワー情報を受信する場合、ＵＥはセルの送信パワーを比較して信号品質が最上である少なくとも２個のセルを選択して、この少なくても２個のセルから受信される点対多サービスを組み合わせる。
【００４０】
点対多サービスの一例として、点対多マルチメディアサービスまたは点対多ブロードキャスト／マルチキャストサービス（ＭＢＭＳ）がある。
【００４１】
また、本発明による移動通信システムにおいて点対多チャンネル上で点対多サービスを受信する方法は、点対多チャンネルにマッピングされる点対多シグナリングチャンネル上で点対多サービスのスケジューリング情報を提供する少なくとも一つの送信パラメーターを受信するステップと、前記少なくとも一つの送信パラメーターを使用して複数のセルから送信される点対多チャンネルを組み合わせるステップと、前記点対多チャンネルにマッピングされる点対多トラフィックチャンネル上で前記点対多サービスを受信するステップと、を含む。
【００４２】
また、本発明による移動通信システムにおいて点対多チャンネル上で点対多サービスを受信する方法は、点対多チャンネルにマッピングされる点対多シグナリングチャンネル上で点対多サービスのスケジューリング情報を提供する少なくとも一つの送信パラメーターを受信するステップ、及び前記少なくとも一つの送信パラメーターに基礎して、複数のセルから送信されて点対多サービスを提供する点対多チャンネルを組み合わせることにより点対多サービスを受信するステップを含む。
【００４３】
また、本発明による移動通信システムにおいて点対多チャンネル上で点対多サービスを受信する方法は、第１のチャンネル上で点対多サービスのスケジューリング情報を提供する複数のセルの送信パラメーターを受信するステップと、前記送信パラメーターに基礎して複数のセルの中で点対多サービスを受信するための少なくても２個のセルを決定するステップと、前記少なくとも２個のセルから送信される第２のチャンネルを組み合わせることにより点対多サービスを受信するステップと、を含む。ここで、前記第１のチャンネルは点対多サービスが送信される第２のチャンネルにマッピングされる。
【００４４】
また、本発明による移動通信システムにおいて点対多チャンネル上で点対多サービスを受信する方法は、第２のチャンネルにマッピングされる第１のチャンネル上で点対多サービスのためのデータを少なくとも一つの移動端末に送信するステップ、及び前記第２のチャンネルにマッピングされる第３のチャンネル上で点対多サービスのスケジューリング情報を提供する複数のセルの少なくとも一つの送信パラメーターを少なくとも一つの移動端末に送信するステップを含む。
【００４５】
また、本発明による移動通信システムにおいて点対多チャンネル上で点対多サービスを受信するための受信機は、点対多チャンネルにマッピングされる点対多シグナリングチャンネル上で点対多サービスのスケジューリング情報を提供する少なくとも一つの送信パラメーターを受信する手段と、前記少なくとも一つの送信パラメーターに基礎して、複数のセルから送信されて点対多サービスを提供する点対多チャンネルを組み合わせることにより点対多サービスを受信する手段と、を含む。
【００４６】
また、本発明による移動通信システムにおいて点対多チャンネル上で点対多サービスを受信するための受信機は、第１のチャンネル上で点対多サービスのスケジューリング情報を提供する複数のセルの送信パラメーターを受信する手段と、前記送信パラメーターに基礎して複数のセルの中で点対多サービスを受信するための少なくても２個のセルを決定する手段と、前記少なくとも２個のセルから送信される第２のチャンネルを組み合わせることにより点対多サービスを受信する手段と、を含む。ここで、前記第１のチャンネルは点対多サービスが送信される第２のチャンネルにマッピングされる。
【００４７】
また、本発明による移動通信システムにおいて点対多チャンネル上で点対多サービスを受信するための送信機は、第２のチャンネルにマッピングされる第１のチャンネル上で点対多サービスのためのデータを少なくとも一つの移動端末に送信する手段、及び前記第２のチャンネルにマッピングされる第３のチャンネル上で前記少なくとも一つの移動端末に点対多サービスのスケジューリング情報を提供する複数のセルの少なくとも一つの送信パラメーターを送信する手段を含む。
【００４８】
本発明に係る前述した課題を解決するための手段の説明と後述する実施形態の説明は、例示であり、説明目的のものであり、本発明のさらなる説明を提供することを意図していることを理解すべきである。
【発明を実施するための最良の形態】
【００４９】
以下、本発明の好ましい実施の形態について、添付図面を参照しつつ詳細に説明する。
【００５０】
図６は、本発明の好ましい一実施形態を示したフローチャートである。
【００５１】
図６を参照すれば、ＵＴＲＡＮは周期的に送信されるＭＢＭＳスケジューリングメッセージに送信パワー情報を含ませて各セル（図６のセル−Ａ、セル−Ｂ及びセル−Ｃ）のＭＳＣＨ上で送信パワー情報を送信する。この場合、送信パワー情報をＭＢＭＳスケジューリングメッセージ各々に含ませる必要はない。送信パワー情報をＵＥに送信する必要がある場合、送信パワー情報はＭＢＭＳスケジューリングメッセージに選択的に含まれる。また、各々のセルはＭＳＣＨ上で自分の送信パワー情報を送信することができる。しかし、各セルが少なくとも一つの隣接セルの送信パワー情報とともに自分の送信パワー情報を送信することも可能である。
【００５２】
ＵＥはＭＳＣＨを通じて受信されたＭＢＭＳスケジューリングメッセージに含まれた送信パワー情報を受信する。図６は、各セルからＭＳＣＨを受信する一例を示す（ステップＳ６１、ステップＳ６２、ステップＳ６３）。他の例として、ＵＥが現在位置するセルからＭＳＣＨを通じて受信されるＭＢＭＳスケジューリングメッセージに隣接セルの送信パワー情報が含まれる場合、ＵＥは、複数のセルからＭＢＭＳスケジューリングメッセージを受信しなくても、ＵＥが位置するセルから送信されるＭＢＭＳスケジューリングメッセージから複数のセルの送信パワー情報を獲得することができる。
【００５３】
ＵＥはＭＳＣＨを通じて受信された送信パワー情報を使用して特定サービスのための組合せ受信用セルを選択する。図６において、ＳＭＳ、例えば、セル−Ａとセル−Ｂが選択される。例えば、送信パワー情報が、各セルのＣＰＩＣＨ（Ｃｏｍｍｏｎ  Ｐｉｌｏｔ  Ｃｈａｎｎｅｌ）送信パワーと、各データチャンネルを伝達する物理チャンネルＳＣＣＰＣＨの送信パワーとの間のパワーオフセット（Ｔｘ  ｐｏｗｅｒ  ｏｆｆｓｅｔ）を示す場合、ＵＥはよほど大きい値を有する少なくとも２個のセルを選択することができる。
【００５４】
図７は、本発明の好ましい一実施形態によるＵＥの詳細動作を説明する図である。
【００５５】
図７を参照すれば、ＵＥはＭＢＭＳデータ伝達ＭＴＣＨを受信しながらＭＴＣＨと同一な物理チャンネルにマッピングされるＭＳＣＨを受信する。ＭＳＣＨとＭＴＣＨは論理チャンネルであり、伝送チャンネルＦＡＣＨを通じて物理チャンネルＳＣＣＰＣＨにマッピングされる。ＭＳＣＨとＭＴＣＨは他の移動通信システムで使われる他のプロトコルアーキテクチャーでＦＡＣＨを省略してＳＣＣＰＣＨに直接マッピングしても良い。
【００５６】
続いて、ＵＥはセルの中で選択されたセル−Ａとセル−Ｂを通じてサービスのためのＭＴＣＨを受信する（ステップＳ６５、ステップＳ６６）。ＵＥはセル−Ａとセル−ＢのＭＴＣＨを一緒に組み合わせることによりＭＢＭＳのためのデータを受信する（ステップＳ６７）。組合せ方法に対しては、ソフト組合せまたは選択組合せを採択することができる。
【００５７】
図８は、本発明の好ましい実施形態を示したフローチャートである。
【００５８】
図８を参照すれば、特定ＭＢＭＳサービスを受信するＵＥはＭＳＣＨを通じて一つ以上のセルからＭＢＭＳのスケジューリング情報を伝達するＭＢＭＳスケジューリングメッセージを受信し、その受信されたメッセージに含まれた送信パワー情報を獲得する（ステップＳ７１）。ＵＥは、受信した送信パワー情報を利用して、受信環境が良好な少なくとも２個のセルまたは前記少なくとも２個のチャンネルのＭＴＣＨを選択する（ステップＳ７２）。ＵＥはソフト組合せまたは選択組合せにより前記選択されたセルのＭＴＣＨまたは前記選択されたＭＴＣＨを受信することにより特定ＭＢＭＳのデータを獲得する（ステップＳ７３）。
【００５９】
図６または図８のスケジューリングメッセージは、後述される表１乃至表３のフォーマットの中一つにより行われる。表１乃至表３は、本発明によるＲＲＣレイヤーで使用するＭＢＭＳスケジューリングメッセージのデータフォーマットの一例を示す。
【００６０】
ＵＴＲＡＮは、ＭＳＣＨを通じてＭＴＣＨを伝達する物理チャンネルＳＣＣＰＣＨの送信パワー情報を周期的に送信することができる。この場合、送信パワー情報は表１乃至表３に示されたように、ＭＴＣＨ伝達物理チャンネルＳＣＣＰＣＨにマッピングされるＭＳＣＨのＭＢＭＳスケジューリングメッセージに含ませて送信することができる。好ましくは、送信パワー情報は該当データチャンネルを送信する各セルのＣＰＩＣＨ送信パワーと各データチャンネル伝達物理チャンネルＳＣＣＰＣＨの送信パワーとの間のパワーオフセット（Ｔｘ  Ｐｏｗｅｒ  Ｏｆｆｓｅｔ）である。表１乃至表３において、本発明の一実施形態による送信パワー情報のための情報要素はイタリック体で表示した。
【００６１】
表１は、ＭＳＣＨ伝達ＳＣＣＰＣＨを通じて送信される各サービスに対して、各サービスに関する現在セル（すなわち、特定セル）のＳＣＣＰＣＨに対する送信パワー情報が、隣接セルのＳＣＣＰＣＨに対する送信パワー情報とともに一つの特定セルからＭＳＣＨを通じて送信されることを示する。表１のメッセージは、各サービスに対して現在セルのＳＣＣＰＣＨ送信パワーオフセット（Ｔｘ  ｐｏｗｅｒ  ｏｆｆｓｅｔ）と隣接セルのＳＣＣＰＣＨ送信パワーオフセット（Ｔｘ  ｐｏｗｅｒ  ｏｆｆｓｅｔ）とを送信する例である。
［表１］
【００６２】
【表１−１】
2008541541.tif 000003
【００６３】
【表１−２】
2008541541.tif 000004
表２は、一つの特定セルから送信されるＭＳＣＨが現在セル（すなわち、特定セル）のＳＣＣＰＣＨに対する送信パワー情報と隣接セルの送信パワー情報とを送信する場合を示す。表２のメッセージは現在セルのＳＣＣＰＣＨ（ＭＳＣＨ送信メッセージがマッピングされる）の送信パワーオフセット（Ｔｘ  ｐｏｗｅｒ  ｏｆｆｓｅｔ）と、隣接セルのＳＣＣＰＣＨの送信パワーオフセット（Ｔｘ  ｐｏｗｅｒ  ｏｆｆｓｅｔ）と、を含む。
［表２］
【００６４】
【表２−１】
2008541541.tif 000005
【００６５】
【表２−２】
2008541541.tif 000006
表３は、一つの特定セルから送信されるＭＳＣＨが現在セル（すなわち、特定セル）のＳＣＣＰＣＨに対する送信パワー情報を送信した場合を示す。表３のメッセージは現在セルのＳＣＣＰＣＨ（メッセージを送信するＭＳＣＨを有している）の送信パワーオフセット（Ｔｘ  ｐｏｗｅｒ  ｏｆｆｓｅｔ）を含む。
［表３］
【００６６】
【表３−１】
2008541541.tif 000007
【００６７】
【表３−２】
2008541541.tif 000008
表４は、本発明の一実施形態によるＲＲＣレイヤーのＭＳＣＨ構成情報フォーマットの例を示す。表４において、ＵＴＲＡＮはＭＳＣＨが追加的にＳＣＣＰＣＨ送信パワーオフセット（Ｔｘ  ｐｏｗｅｒ  ｏｆｆｓｅｔ）を送信しようとするか否かを示す‘ＳＣＣＰＣＨ  Ｔｘ  ｐｏｗｅｒ  ｏｆｆｓｅｔ  ｐｒｅｓｅｎｃｅ’フィールドをＭＳＣＨ構成情報に含んでも良い。この時、ＵＥは、ＳＣＣＰＣＨ送信パワーオフセット（Ｔｘ  ｐｏｗｅｒ  ｏｆｆｓｅｔ）がＭＳＣＨを通じて送信されることを、ＭＳＣＨの構成を通じて‘ＳＣＣＰ  Ｔｘ  ｐｏｗｅｒ  ｏｆｆｓｅｔ  ｐｒｅｓｅｎｃｅ’により認識する場合、図６及び図８のプロセスを実行する。
［表４］
【００６８】
【表４】
2008541541.tif 000009
本発明は移動通信システムについて記述しているが、ＰＤＡや無線通信機能を搭載したノートブックのための無線通信システムにも適用が可能である。また、本発明を記述する用語はＵＭＴＳのような無線通信システムの範囲に限定されないで、本発明はＴＤＭＡ、ＣＤＭＡ、ＦＤＭＡなどのように他の無線インターフェース及び物理レイヤーを使用する無線通信システムにも適用可能である。
【００６９】
本発明の内容は、ソフトウェア、ファームウエア、ハードウェアまたは前記組合せ形態の結果で具現可能である。すなわち、本発明の内容はハードウェアでコードや回路チップ及びＡＳＩＣのようなハードウェアロジックを利用して具現するか、またはコンピュータプログラミング言語を利用してハードディスク、フロッピー（登録商標）ディスク、テープ、光ストレージ、ＲＯＭ及びＲＡＭなどのようなコンピュータが判読可能な保存媒体でコードに具現される。
【００７０】
コンピュータが判読可能な媒体に保存されたコードはプロセッサによりアクセス及び実行可能である。本発明の内容が具現されたコードは、送信媒体を通じてアクセス可能であるかネットワーク上のファイルサーバーを通じてアクセス可能である。このような場合にコードが具現された装置は、ネットワーク送信ラインのような有線送信媒体、無線送信媒体、信号送信、無線信号、赤外線信号などを含む。
【００７１】
図９は、本発明の機能を実行する移動端末のような無線通信装置１００の構成図である。
【００７２】
図９を参照すれば、無線通信装置１００は、マイクロプロセッサやデジタルプロセスのようなプロセッシングユニットモジュール１１０、ＲＦモジュール１３５、パワー制御モジュール１０６、アンテナ１４０、バッテリー１５５、ディスプレーモジュール１１５、キーパッド１２０、ＲＯＭ、ＳＲＡＭ、フラッシュメモリーのような保存モジュール１３０、スピーカー１４５及びマイクロホン１５０を含む。
【００７３】
ユーザーはボタンを押すことで電話番号などの命令語情報を入力するかマイクロホン１４５を利用して音声を活性化させる。
【００７４】
プロセッシングユニットモジュール１１０は命令情報を受信して処理してユーザーが要求する機能を実行する。プロセッシングユニットモジュール１１０はこのような機能を実行するために必要なデータを前記保存モジュール１３０で検索して利用する。そして、プロセッシングユニットモジュール１１０はユーザーの命令情報と保存モジュール１３０で検索したデータをユーザーの便宜のためにディスプレーモジュール１１５に表示する。
【００７５】
プロセッシングユニットモジュール１１０はＲＦモジュール１３５に情報を伝達して音声通信データを含む無線信号を送信する。
【００７６】
ＲＦモジュール１３５は無線信号を送受信するための送信機と受信機を含む。無線信号は最終的にアンテナ１４０を利用して送受信される。一応無線信号を受信すれば、ＲＦモジュール１３５は無線信号を基底帯域周波数に変換してプロセッシングユニットモジュール１１０が無線信号を処理できるようにする。変換された信号はスピーカー１４５を通じて伝達するか、判読可能な情報で伝達する。
【００７７】
ＲＦモジュール１３５はネットワークからデータを受信するか、無線通信装置により測定されるか発生された情報をネットワークに送信するために使用される。
【００７８】
保存モジュール１３０は無線通信装置で測定するか発生した情報を保存するために使用される。
【００７９】
また、プロセッシングユニットモジュール１１０は、前記無線通信装置でデータを受信するか、受信したデータを処理するか、処理されたデータを送信するために適切に使用される。
【００８０】
上述した本発明の実施形態において、本発明の技術的特徴は物理チャンネルがコードにより識別されるＣＤＭＡ移動通信システムに適用された。本発明の特徴は物理チャンネルを時間及び周波数により識別可能なＯＦＤＭまたはＯＦＤＭＡ移動通信システムに適用でき、上位及び下位チャンネル構造を有する任意種類の無線通信システムに適用するもできる。
【産業上の利用可能性】
【００８１】
したがって、本発明は、無線インターネット、移動通信システムなどの無線通信システムに適用することが可能である。
【００８２】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００８３】
【図１】３ＧＰＰ非同期式ＩＭＴ―２０００システムであるＵＭＴＳのネットワーク構造を示した図である。
【図２】ＵＭＴＳで使用する無線プロトコルの構造を示した図である。
【図３】従来技術によるＵＥでのＭＢＭＳのためのチャンネル構成の一例を示した図である。
【図４】従来技術によるＭＣＣＨ情報を説明するための図である。
【図５】ＵＴＲＡＮがＭＴＣＨを通じて不連続的にＭＢＭＳデータを送信可能なことを説明する図である。
【図６】本発明の好ましい一実施形態を示したフローチャートである。
【図７】本発明の好ましい一実施形態によるＵＥの詳細動作を説明する図である。
【図８】本発明の機能を実行する移動端末のような無線通信装置を示した図である。
【図９】本発明の機能を実行する移動端末のような無線通信装置を示した図である。
【図１】
2008541541.tif 000010
【図２】
2008541541.tif 000011
【図３】
2008541541.tif 000012
【図４】
2008541541.tif 000013
【図５】
2008541541.tif 000014
【図６】
2008541541.tif 000015
【図７】
2008541541.tif 000016
【図８】
2008541541.tif 000017
【図９】
2008541541.tif 000018
【国際調査報告】
2008541541.tif 000019
2008541541.tif 000020